(57)【特許請求の範囲】
【請求項１】
上流側の既設配管部材に新設配管部材を接続する際に備えて予め前記既設配管部材に接続される接続部材であって、
一端が開口して塞がれた他端側に延びる穴部を有し、一端部が前記既設配管部材の端部に接続されて前記穴部が前記既設配管部材内と連通する連通部材と、
該連通部材の前記穴部内に挿抜可能に挿入されて前記穴部を遮断可能な遮断部材とを有し、
前記遮断部材は、前記連通部材の前記穴部内を移動自在な遮断本体部と、該遮断本体部の一端側の外周に装着されて前記穴部の内面に穴部周方向に密着するシール部材と、前記遮断本体部の他端側に設けられて紐部材を接続可能な接続部とを備えることを特徴とする接続部材。
【請求項２】
前記連通部材の他端側の前記穴部の内面に、内側に突出して前記シール部材と当接して前記遮断部材の連通部材他端側への移動を抑制する突起部を設けたことを特徴とする請求項１に記載の接続部材。
【請求項３】
前記連通部材の他端は、凸状に形成されていることを特徴とする請求項１又は２に記載の接続部材。
【請求項４】
前記連通部材は、合成樹脂材料製であり、筒状に形成された連通本体部と凸状に形成されて該連通本体部の他端側を塞ぐ凸部とを備え、
前記凸部は前記連通本体部の他端に溶着されて、前記連通本体部及び前記凸部が一体化されることを特徴とする請求項３に記載の接続部材。
【請求項５】
前記連通部材は、前記既設配管部材の先端側から所定距離を有して延びる短尺配管であることを特徴とする請求項１から４のいずれかに記載の接続部材。
【請求項６】
前記既設配管部材は、分岐継手であることを特徴とする請求項１から５のいずれかに記載の接続部材。
【請求項７】
請求項１〜６のいずれかに記載の接続部材を用い、上流側の既設配管部材の端部に新設配管部材を接続する新設配管接続工法であって、
前記接続部材の他端部を先端側にして、前記接続部材を前記既設配管部材の先端周辺位置から土砂内に打ち込む工程と、
土砂内に打ち込まれた前記接続部材の一端部を前記既設配管部材の端部に接続する工程とを有することを特徴とする新設配管接続工法。
【請求項８】
土砂内に打ち込まれた前記接続部材の他端部を切断して前記接続部材の他端側を開口する工程と、
前記接続部材の他端部に合成樹脂材料製の連結管を接続し、前記接続部材内の前記遮断部材を前記連結管内の先端側に移動させる工程と、
前記遮断部材より上流側の前記連結管の一端側を押しつぶして前記連結管内のガス流通を遮断する工程と、
押しつぶされた前記連結管内の前記遮断部材を該連結管の先端側から抜脱する工程と、
前記連結管の先端部に前記新設配管部材を接続し、前記連結管の押しつぶしを解除して前記連結管及び前記接続部材を介して前記既設配管部材と前記新設配管部材を接続する工程を行うことを特徴とする請求項７記載の新設配管接続工法。
【発明の詳細な説明】
【技術分野】
【０００１】
本発明は、既設配管部材に新設配管部材を接続する時に備えて既設配管部材に予め接続される接続部材及び新設配管接続工法に関する。
【背景技術】
【０００２】
ガス管等の既設配管の下流側に新たな配管を新設する場合には、端部をガス遮断バッグでガスを遮断し、その下流側で新たな配管を接続する工法が一般に行われている。
【０００３】
一方、地下に埋設された配管では土地の所有区分に応じて配管の資産区分が分かれていることが多く、ガス配管を例にすると、公道下に埋設された配管はガス会社法人の資産であるが、その公道に隣接する民地内に埋設される配管はその土地の所有者の資産になる。したがって、公道下の配管から分岐して民地内に配管する場合には、公道と民地との地境で配管の資産区分が変わることになるが、このような事情では、一本の配管を下流側に向けて延設する際に、資産区分毎に工事業者や工事時期が異なる事態が生じ、上流側から敷設した配管を地境付近で一旦区切って端部を遮断し、別途その端部に新たな配管を接続する先継ぎ工事が行われることになる。
【０００４】
また、このような資産区分の事情に拘わらず、上流側から下流側に配管の延長を行うことが予想される場合には、その途中まで配管を施すか或いは予め分岐継手を接続しておいて、それらの端部を一旦は遮断しておき、然るべき後にその端部に新たな配管が接続されることもある。
【０００５】
ここで、ガス配管を例にして、配管の末端部や分岐継手の接続端部に新たな配管を接続する特許文献１に記載された従来工法を説明する。これによると、図７（ａ）（側面図）に示すように、先ず、融着キャップ或いは取り外し可能なキャップ等の封止キャップ７０で端部が封止された配管７１に対して、接続部からやや上流側に形成された穿孔７１ａからガス遮断バッグ７３ａ，７３ｂを挿入してガス遮断を行う。そして、図７（ｂ）（側面図）に示すように、封止キャップ７０を除去して端部に継手７５を介して新たな配管７２の端部を接続する。その後、図７（ｃ）（側面図）に示すように、ガス遮断バッグ７３ａ，７３ｂを取り除いて、穿孔７１ａを栓７６で止める。このようにして、上流側の配管端部に新設の配管を接続することで下流側にガスの供給を行っている。
【０００６】
【特許文献１】特開２００３−２７８９８７号公報
【発明の開示】
【発明が解決しようとする課題】
【０００７】
このような従来工法によると、配管接続の際に、上流側の配管の端部付近にガス遮断バッグを挿入する必要があるので、そのために必要な長さＬの作業スペースを確保する必要がある。そうすると、前述した土地の所有区分における地境付近で接続作業を行う場合、地境近傍の上流側の公道に側溝が存在すると、側溝が邪魔をして地境付近に立坑を掘削することができない。また地境より上流側に埋設された本支管は、地境より所定距離を有した位置に埋設されているが、この距離は比較的に短いため（例えば、約６０ｃｍ）、側溝と本支管との間に立坑を掘削しても、この立坑内でガス遮断バックを使用した接続作業を行うことは困難である。
【０００８】
一方、地境より上流側の所有区分内に延びる配管の先端部にバルブを設け、民地側からの配管工事によってこのバルブに新たな配管を接続する工事を行うと、民地側に入り込む配管工事が不要となり、またガス遮断バックの使用が不要となって保安の面でも好ましくなると考えられる。この工法では、配管にバルブを設ける場合、バルブを設ける配管の部位が露出するように立坑を掘削する必要があるが、配管の上方に側溝が存在すると、側溝が邪魔をして立坑を掘削することができない。そこで、供給管と側溝との間の土砂をえぐるようにして穴を掘り、バルブを設けた配管を穴内に挿入して設けてもよいが、このように側溝の下方に穴を掘ると、側溝の支持が不安定となり、側溝が陥没したり割れ目が生じたりする虞が生じ、側溝の下方に穴をえぐる作業に対して道路管理者からの許可を得るのは難しい。
【０００９】
このようなことから、下流側の所有区分（公道と民地の地境では民地側）内に長さＬ分だけ配管端部が入り込まざるを得ず、上流側の配管所有者の立場からすれば、余分な配管施工を強いられることになる。また、他人の所有地内での作業を行うことになるので自由に作業計画を立てることができないという不都合が生じる。更に、下流側の所有区分にかなりの長さ（一般のガス供給配管で１ｍ程度）の配管端部が入り込んで埋められていると、その土地内での各種工事の際に配管端部が損傷を受ける可能性があり、保安の面でも好ましくない。
【００１０】
一方、図６のように配管の屈曲部を切断して、真っ直ぐな管を延伸する場合に、ガス遮断バックの使用の他に、バイパス管を接続する等の作業が必要となり、作業コストが増大するという不都合がある。またガス遮断バッグは破損する虞があるとともに長時間使用するとガス漏れが生じる虞がある。
【００１１】
このため、前述した従来工法を採用するしかないのが現状であり、ガス流通を遮断するガス遮断バッグを不要にし、地境より下流側の土地の所有区分内に配管が入ることなく上流側の土地の所有区分内だけで供給管工事ができる工法や部材が望まれている。
【００１２】
本発明は、このような要望に応えるためになされたものであり、配管の末端部や分岐継手の接続端部に新しい配管を接続する工事において、工事の安全性がより高まり、上流側の所有区分内だけで配管工事が可能な接続部材及び新設配管接続工法を提供することを目的とする。
【課題を解決するための手段】
【００１３】
このような課題を解決するために、本発明は、上流側の既設配管部材（例えば、実施形態における分岐継手３５）に新設配管部材を接続する際に備えて予め既設配管部材に接続される接続部材であって、一端が開口して塞がれた他端側に延びる穴部を有し、一端部が既設配管部材の端部に接続されて穴部が既設配管部材内と連通する連通部材と、該連通部材の穴部内に挿抜可能に挿入されて穴部を遮断可能な遮断部材とを有することを特徴とする。
【００１４】
この発明によれば、接続部材は、連通部材と遮断部材を有してなることで、連通部材の穴部内に遮断部材を挿入した状態で、連通部材を既設配管部材に接続しておくと、その後に新設配管部材を既設配管部材に接続する場合、連通部材のガス流通を遮断した状態で遮断部材を抜脱した後に連通部材に新設配管部材を接続するだけで、新設配管部材と既設配管部材を連通状態で接続することができる。このため、土地の所有区分上流側にある既設配管部材に、遮断部材が挿入された連通部材を予め接続して連通部材の先端部を地境の近傍位置に設けておけば、その後の土地の所有区分下流側に新設配管部材を設ける工事において、新設配管部材を連通部材に接続するだけで連通部材を介して新設配管部材を既設配管部材に接続することができる。つまり、本発明は、接続部材を既設配管部材に接続する工事を上流側の土地所有区分内だけで行うことを可能にするので、接続部材に新設配管部材を接続する工事は、接続部材を設けた後のいずれの日にも行うことができる。このため、接続部材を既設配管部材に接続する工事は、新設配管部材が設けられる下流側の事情に関わりなく行うことができ、上流側の工事の作業計画を自由にすることができる。
【００１５】
また本発明の遮断部材は、連通部材の穴部内を移動自在な遮断本体部と、該遮断本体部の一端側の外周に装着されて穴部の内面に穴部周方向に密着するシール部材と、遮断本体部の他端側に設けられて紐部材を接続可能な接続部とを備えることを特徴とする。
【００１６】
この発明によれば、遮断部材は、遮断本体部とシール部材と接続部とを備えることにより、シール部材によって連通部材の穴部を遮断することができ、接続部に紐等の紐部材を接続しておけば、この紐部材を連通部材の他端側へ引っ張ると、穴部を遮断したままで遮断部材を連通部材他端側に移動させることができる。
【００１７】
また本発明の連通部材の他端側の穴部の内面に、内側に突出してシール部材と当接して遮断部材の連通部材他端側への移動を抑制する突起部を設けたことを特徴とする。
【００１８】
この発明によれば、連通部材の他端側の穴部内面に突起部を設けることにより、接続部材に高いガス圧が流れる場合において、接続部材の他端側が切断されて開口して、ガス圧によって遮断部材が接続部材の他端側に移動しても、突起部がシール部材と当接して遮断部材の接続部材他端側への移動を規制する。このため、ガスが接続部材の他端側から吐出する事態を未然に防止することができる。
【００１９】
さらに本発明の連通部材の他端は、凸状に形成されていることを特徴とする。
【００２０】
この発明によれば、連通部材の他端を凸状に形成することで、既設配管部材の先端側から連通部材の他端を先端側に向けて連通部材を土砂内に容易に打ち込むことができ、連通部材の打ち込み作業を容易にすることができる。
【００２１】
また本発明の連通部材は、合成樹脂材料製であり、筒状に形成された連通本体部と凸状に形成されて該連通本体部の他端側の開口部を塞ぐ凸部とを備え、凸部は連通本体部の他端に溶着されて、連通本体部及び凸部が一体化されることを特徴とする。
【００２２】
この発明によれば、連通部材は、合成樹脂材料で形成されて、連通本体部と凸部とを備え、凸部は連通本体部の他端に溶着されて、連通本体部及び凸部が一体化されることにより、連通本体部を押し出し成形によって形成し、これに凸部を溶着することで、穴部を有した連通部材を容易で且つ安価に製造することができる。
【００２３】
また本発明の連通部材は、既設配管部材の先端側から所定距離を有して延びる短尺配管であることを特徴とする。
【００２４】
この発明によれば、連通部材は短尺配管であることにより、既設配管部材の先端側から連通部材を土砂内に打ち込んだときに、連通部材の先端部が土地の所有区分下流側に大きく突出する事態を抑制することができる。また既設配管部材の末端部に連通部材を接続した場合、既設配管部材からの連通部材の突出長さを短くすることができ、他工事損傷の可能性を抑制することができる。
【００２５】
また本発明の既設配管部材は、分岐継手であることを特徴とする。
【００２６】
この発明によれば、既設配管部材は分岐継手であることで、分岐継手に接続部材を予めに接続しておくことで、接続部材を介して新設配管部材を分岐継手に容易に接続することができる。
【００２９】
また本発明は、前述した接続部材を用い、上流側の既設配管部材の端部に新設配管部材を接続する新設配管接続工法であって、接続部材の他端部を先端側にして、接続部材を既設配管部材の先端周辺位置から土砂内に打ち込む工程と、土砂内に打ち込まれた接続部材の一端部を既設配管部材の端部に接続する工程とを有することを特徴とする。
【００３０】
この発明によれば、穴部内に遮断部材が挿入された接続部材を既設配管部材の先端周辺位置から土砂内に打ち込み、接続部材の一端部を既設配管部材の端部に接続することにより、土地の所有区分の上流側の既設配管部材にガス流通が遮断された接続部材を接続して、接続部材の先端部を地境の近傍位置に設けることができる。このため、その後に新設配管部材を既設配管部材に接続する場合、接続部材のガス流通が遮断された状態で接続部材に挿入された遮断部材を抜脱した後に接続部材に新設配管部材を接続するだけで、新設配管部材と既設配管部材を連通状態で接続することができる。つまり、本発明の工法は、接続部材を既設配管部材に接続する工事を上流側の土地所有区分内だけで行うことを可能にするので、接続部材に新設配管部材を接続する工事は、接続部材を設けた後のいずれの日に行うことができる。このため、接続部材を既設配管部材に接続する工事は、新設配管部材が設けられる下流側の事情に関わりなく行うことができ、上流側の工事の作業計画を自由にすることができる。
【００３１】
さらに本発明は、前述した各工程を行った後に、土砂内に打ち込まれた接続部材の他端部を切断して接続部材の他端側を開口する工程と、接続部材の他端部に合成樹脂材料製の連結管を接続し、接続部材内の遮断部材を連結管内の先端側に移動させる工程と、遮断部材より上流側の連結管の一端側を押しつぶして連結管内のガス流通を遮断する工程と、押しつぶされた連結管内の遮断部材を該連結管の先端側から抜脱する工程と、連結管の先端部に新設配管部材を接続し、連結管の押しつぶしを解除して連結管及び接続部材を介して既設配管部材と新設配管部材を接続する工程を行うことを特徴とする。
【００３２】
この発明によれば、前述した各工程を行った後に、土砂内に打ち込まれた接続部材の他端部を切断して接続部材の他端部に合成樹脂材料製の連結管を接続し、接続部材内の遮断部材を連結管内の先端側に移動させ、遮断部材より上流側の連結管の一端側を押しつぶして連結管内のガス流通を遮断し、押しつぶされた連結管内の遮断部材を連結管から抜脱して新設配管部材を連結管に接続し、連結管の押しつぶしを解除することで、ガス漏れが生じる虞のあるガス遮断バッグを使用することなく、新設配管部材を接続部材及び連結管を介して既設配管部材に接続することができ、接続工事の安全性をより高めることができる。
【発明の効果】
【００３３】
本発明に係わる接続部材及び新設配管接続工法によれば、接続部材は、一端が開口して他端側に延びる穴部を有した連通部材と穴部を遮断可能な遮断部材とを有し、新設配管接続工法は、接続部材を既設配管部材の先端周辺位置から土砂内に打ち込み、接続部材に遮断部材を挿入し、接続部材の一端部を既設配管部材の端部に接続し、土砂内に打ち込まれた接続部材の他端部を切断して接続部材の他端部に合成樹脂材料製の連結管を接続し、接続部材内の遮断部材を連結管内の先端側に移動させ、遮断部材より上流側の連結管の一端側を押しつぶして連結管内のガス流通を遮断し、押しつぶされた連結管内の遮断部材を連結管から抜脱して新設配管部材を連結管に接続し、連結管の押しつぶしを解除することで、配管の末端部や分岐継手の接続端部に新しい配管を接続する工事において、工事の安全性をより高め、上流側の土地所有区分内だけで配管工事を行うことが可能な接続部材及び新設配管接続工法を提供することができる。
【発明を実施するための最良の形態】
【００３４】
以下、本発明に係わる接続部材及び新設配管接続工法の好ましい実施の形態を図１から図６に基づいて説明する。本実施の形態は、道路下に埋設されてガスが流通する本支管に新設配管部材を接続する場合を例にして説明する。先ず、新設配管接続工法を説明する前に、この工法に使用される接続部材について説明する。
【００３５】
接続部材１は、図１（断面図）に示すように、合成樹脂材料（例えば、ポリエチレン、ポリプロピレン、塩化ビニル樹脂等）で形成され、一端が開口して他端側に延びる穴部１１を有する連通部材１０と、連通部材１０の穴部１１内に挿抜可能に挿入されて穴部１１を遮断可能な遮断部材２０とを有した短尺配管である（全長Ｌは、約３０ｃｍ〜５０ｃｍである）。連通部材１０は、筒状の連通本体部１３と凸状に形成されて連通本体部１３の他端側の開口部１３ａを塞ぐ凸部１７とを有し、連通本体部１３内には一端側から他端側に延びる貫通孔１３ｂが形成されている。連通本体部１３は押し出し成形によって形成される。
【００３６】
凸部１７は、一端側に連通本体部１３の貫通孔１３ｂと同程度の径を有した凹部１７ａが形成されて他端側に略円錐形状の突出部１７ｂが形成されている。突出部１７ｂの先端は円弧状に形成されて緩やかに湾曲している。凸部１７は、接続部材１を土砂内に容易に打ち込むことができるようにするためのものであるので、凸状に形成されていればよく、角錐形状でもよい。
【００３７】
凸部１７は、基部側の端部が連通本体部１３の端部に溶着によって接続されて、凸部１７と連通本体部１３とが一体化して接続部材１が形成される。このため、接続部材１内には、一端が開口して他端側が閉じる前述した穴部１１が形成されている。穴部１１の他端側の内面には、内側に突出する突起部１２が形成されている。この突起部１２は、後述する遮断部材２０の移動を抑制するために設けられている。突起部１２は、穴部内面に周方向に沿って環状に設けられてもよいし、周方向に所定間隔を有して複数個設けられてもよい。また突起部１２は、連通本体部１３の軸方向に所定間隔を有して複数個設けられてもよい。
【００３８】
遮断部材２０は、図２（ａ）（側面図）に示すように、合成樹脂材料（例えば、ポリエチレン）で形成され、図１に示す連通部材１０の穴部１１内を移動自在な遮断本体部２１と、遮断本体部２１の一端側の外周に装着されて穴部１１の内面に穴部周方向に密着するシール部材２５と、遮断本体部２１の他端側に設けられて紐部材２７を接続可能な接続部２８とを備える。
【００３９】
遮断本体部２１は、図１及び図２（ｃ）（断面図）に示すように、穴部１１より小径の大径部２２と、大径部２２の他端側から延びて大径部２２より小径の小径部２３を備える。大径部２２は円柱状であり、その外周面にはシール部材２５を装着する装着溝２２ａが環状に設けられている。装着溝２２ａは大径部２２の軸方向に所定間隔を有して複数個（図面では２個）設けられている。大径部２２の中間部には、一端が開口して他端側に延びる凹部２２ｂが設けられている。この凹部２２ｂは遮断本体部２１を軽量化する目的で設けられている。
【００４０】
小径部２３は大径部２２の端部から突出するようにして延び、小径部２３の先端部には、接続部２８が形成されている。接続部２８は小径部２３を貫通する孔部である。小径部２３は孔部を設けるためのものであるので、大径部２２と同程度の径を有して形成されてもよい。但し、この場合には、遮断部材２０が穴部１１に挿入し易くするために、小径部２３の先端側角部に面取りを設けることが好ましい。なお、遮断部材２０は、小さいものであるので、重くならなければ、金属材料（例えば、アルミニウム、鉄等）で形成されてもよい。
【００４１】
シール部材２５は、弾性変形が可能で合成樹脂材料で形成されたいわゆるＯリングである。シール部材２５は、図２（ｂ）（正面図）に示すように、これを遮断本体部２１の装着溝２２ａに装着すると、シール部材２５の外径が穴部１１の内径Rより僅かに大きな径を有するように形成されている。このため、遮断部材２０を穴部１１に挿入すると、Ｏリングは圧縮されて穴部内面に密着する。
【００４２】
次に、本発明の新設配管接続工法について、本支管に新設配管を接続する場合について説明する。先ず、図３（ａ）（断面図）に示すように、分岐継手３５を設ける部位の本支管４０が露出するように立坑５０を掘削する。そして、図３（ｂ）（断面図）に示すように、露出した本支管４０に分岐継手３５を接続する。そして、図３（ｃ）（断面図）に示すように、凸部１７を先端側にして接続部材１を分岐継手３５の先端周辺位置から土砂内に打ち込む。なお、地境Ｔより上流側の土地の所有区分内の地境側端部の路面上には側溝４３が敷設されている。そして、図４（ｄ）（断面図）に示すように、遮断部材２０の小径部が先端側になるように向きを調整して、打ち込まれた接続部材１の穴部内に遮断部材２０を挿入する。このとき、小径部２３に設けられた図１に示す接続部２８に紐部材２７を繋げておく。そして、図４（ｅ）（断面図）に示すように、土砂内に打ち込まれて遮断部材２０が挿入された接続部材１の一端部を分岐継手３５に接続する。
【００４３】
なお、前述した実施例では、遮断部材２０を接続部材１内に挿入しない状態で接続部材１を土砂内に打ち込んだが、遮断部材２０を予め接続部材１内に挿入してから接続部材１を土砂内に打ち込んでもよい。
【００４４】
そして、図５（ｆ）（断面図）に示すように、接続部材１が土砂内に打ち込まれて遮断部材２０が接続部材１内に挿入された状態になると、図５（ｇ）（断面図）に示すように、接続部材１の他端部を切断して接続部材１の他端部を開口させ、この他端部に合成樹脂材料製（例えば、ポリエチレン等）の連結管６０を接続し、遮断部材２０に繋がれた紐部材２７を連結管６０の他端部側に引っ張って遮断部材２０を連結管６０内の先端側に移動させる。なお、接続部材１の他端部を開口させたときに、接続部材１の一端側内のガス圧によって遮断部材２０が接続部材他端側に移動しても図１に示す突起部１２がシール部材２５に当接して遮断部材２０の移動を規制するので、遮断部材２０が接続部材１から抜脱することはなく、ガス漏れが生じる事態を未然に防止することができる。
【００４５】
そして、図５（ｈ）（断面図）に示すように、遮断部材２０より上流側の連結管６０の一端側を押しつぶして連結管６０内のガス流通を遮断する。そして、図５（ｉ）（断面図）に示すように、押しつぶされた連結管６０内の遮断部材２０を、紐部材２７を介して連結管６０の先端側から抜脱する。そして、図５（ｊ）（断面図）に示すように、連結管６０の先端部に新設配管部材６３を接続し、連結管６０の押しつぶしを解除して連結管６０及び接続部材１を介して新設配管部材６３を既設配管部材４０に接続する。
【００４６】
このように、本発明の新設配管接続工法は、遮断部材２０が挿入された接続部材１の先端部が地境Ｔの近傍位置に位置するように接続部材１が地境Ｔより上流側の土地の所有区分内に設けられるので、新設配管部材６３を分岐継手３５に接続する場合には、接続部材１を上流側の土地の所有区分内に設けた後に、地境Ｔより下流側の土地の所有区分内から新設配管部材６３を接続部材１に接続すればよい。つまり、本発明の工法は、接続部材１を分岐継手３５に接続する工事を地境Ｔよりも上流側の土地の所有区分内だけで行うことができるので、接続部材１を分岐継手３５に接続する工事は、新設配管部材６３を下流側の所有区分内に設ける工事の事情に関わりなく行うことができる。このため、施工者は、接続部材１を分岐継手３５に接続する工事について自由な作業計画を立てることができる。
【００４７】
また、本発明の新設配管接続工法は、新設配管部材６３を接続部材１に接続させる際に、遮断部材２０の移動と連結管６０の押しつぶしでガス流通の遮断が可能であるので、ガス漏れが生じる虞があるガス遮断バッグの使用を不要にすることができ、作業の安全性をより高めることができる。
【００４８】
次に、図６（平面図）に示すように、公道Ｄ下に実線で示す本支管４０が敷設されている場合において、二点鎖線で示した新たな需用家Ｈに備えて接続部材１を本支管４０に接続する場合について説明する。この場合には、本支管４０に分岐継手６５を接続し、この分岐継手６５に遮断部材が挿入された接続部材１を新たな需用家Ｈ側に延びるように接続する。なお、接続部材１を分岐継手６５に接続する工法は、前述した場合と同様であるので、その説明は省略する。そして、新たな需用家Ｈの工事状況に応じて、接続部材１に連結管を介して新たな本支管６７を接続し、さらに供給管工事を行う。
【００４９】
このように、新たな需用家Ｈに備えて接続部材１を既設の本支管４０に予め接続することで、この接続部材１に新たな本支管６７を接続する際に、ガス遮断バックの使用及び仮バイパス等を接続する作業等が不要となり、ノーブロで且つ安全性をより高めた配管作業を行うことができる。また、接続部材１は短尺配管であるので、既設の本支管４０に予め接続部材１を接続しても、他工事損傷のリスク及び工事費の増大を抑制することができる。
【図面の簡単な説明】
【００５０】
【図１】本発明の一実施の形態に係わる接続部材の断面図を示す。
【図２】接続部材内に挿入される遮断部材を示し、同図（ａ）は遮断部材の側面図であり、同図（ｂ）は遮断部材の正面図であり、同図（ｃ）は同図（ａ）のII−II矢視に相当する断面図である。
【図３】本発明の一実施の形態に係わる新設配管接続工法を説明するための断面図を示す。
【図４】本発明の一実施の形態に係わる新設配管接続工法を説明するための断面図を示す。
【図５】本発明の一実施の形態に係わる新設配管接続工法を説明するための断面図を示す。
【図６】本発明の他の実施の形態に係わる新設配管接続工法を説明するための平面図を示す。
【図７】従来の新設管敷設工法を説明するための側面図を示す。
【符号の説明】
【００５１】
１  接続部材
１０  連通部材
１１  穴部
１２  突起部
１３  連通本体部
１７  凸部
２０  遮断部材
２１  遮断本体部
２５  シール部材
２７  紐部材
２８  接続部
３５  分岐継手（既設配管部材）
６０  連結管
６３  新設配管部材
【図１】
0004791257.tif 000002
【図２】
0004791257.tif 000003
【図３】
0004791257.tif 000004
【図４】
0004791257.tif 000005
【図５】
0004791257.tif 000006
【図６】
0004791257.tif 000007
【図７】
0004791257.tif 000008